(57)【要約】【課題】着座した子供を容易に拘束することのできる自転車用子供乗せを提供する。【解決手段】この自転車用子供乗せ１００は、前方を向いた子供が着座する座部１１６および着座した子供がもたれる背もたれ部１１４から構成される座席本体１１０と、子供を座席本体１１０に拘束する拘束具２００とを備える。拘束具２００は、拘束状態と非拘束状態とに回動可能に支持され、拘束状態において着座した子供の身体の一部に当接する立体形状を備えた当接部材である拘束ガード２１０と、拘束状態の拘束ガード２１０が回動することをロックするロック部材２４０とを含む。拘束ガード２１０は、拘束状態において、着座した子供の太腿部に上方から当接する第１の当接面と、第１の当接面に連続する面であって着座した子供の腹部に前方から当接する第２の当接面とを含む。【選択図】図２
2018047852.tif 000002
【特許請求の範囲】
【請求項１】
前方を向いた子供が着座する座部および着座した子供がもたれる背もたれ部から構成される座席本体と、前記子供を前記座席本体に拘束する拘束具とを備え、
前記拘束具は、
拘束状態と非拘束状態とに移動可能に支持され、前記拘束状態において着座した子供の身体の一部に当接する立体形状を備えた当接部材と、
前記拘束状態の当接部材が移動することをロックするロック部材とを含み、
前記当接部材は、拘束状態において、着座した子供の太腿部に上方から当接する第１の当接面と、前記第１の当接面に連続する面であって着座した子供の腹部に前方から当接する第２の当接面とを含むことを特徴とする、自転車用子供乗せ。
【請求項２】
前記拘束具は、前記座部の前側中央近傍から立ち上がる支柱部をさらに含み、
前記当接部材は、前記支持部上方において、前記第１の当接面が略水平状態である拘束状態と、前記第１の当接面の太腿部への当接が解除されて子供が座部から立ち上がり可能な非拘束状態とに回動可能に支持され、
前記ロック部材は、前記拘束状態の当接部材が回動することをロックすることを特徴とする、請求項１に記載の自転車用子供乗せ。
【請求項３】
前記拘束具は、前記当接部材の前後方向の位置を調整する前後調整部材をさらに含み、
前記ロック部材は、前記拘束状態の当接部材が回動することをロックすると同時に前後方向に移動することをロックする、請求項２に記載の自転車用子供乗せ。
【請求項４】
前記拘束具は、前記当接部材の上下方向の位置を調整する上下調整部材をさらに含む、請求項１〜請求項３のいずれかに記載の自転車用子供乗せ。
【請求項５】
前記ロック部材は、少なくとも２操作により、ロック状態からアンロック状態へ切り替え可能である、請求項１〜請求項４のいずれかに記載の自転車用子供乗せ。
【発明の詳細な説明】
【技術分野】
【０００１】
本発明は、自転車（前輪側であっても後輪側であっても構わない）に取り付けられた子供乗せ（チャイルドシート、子供用座席、幼児用座席等ともいう）に関し、特に、着座した子供を容易に拘束することのできる子供乗せに関する。
【背景技術】
【０００２】
自転車を用いて、子供とともに外出する場合、自転車の前側のハンドル部（前輪側）または後側の荷台部（後輪側）に取り付けた子供乗せに子供を着座させて移動することが一般的となっている。一例として、本出願人の出願に係る特開２０１５−２１７８３３号公報（特許文献１）は、幼児を座らせる座部と、座部の後部で立ち上がる背もたれ部と、背もたれ部の左右両側部から座部の左右両側部に沿いつつ前方へ張り出した左右一対のサイドガード部と、座部に着座した幼児の正面部を遮る配置で設けられて幼児の前方移動を阻止するフロントガード部とを有する幼児用座席装置を開示する。
【０００３】
この幼児用座席装置によると、体格の小さな幼児、特に年齢の低い幼児（たとえば生後２年以内など）であったとしても安全に乗車させることができる点で好ましい。
【先行技術文献】
【特許文献】
【０００４】
【特許文献１】特開２０１５−２１７８３３号公報
【発明の概要】
【発明が解決しようとする課題】
【０００５】
上述した特許文献１の幼児用座席装置は、体格の小さな幼児に好ましく適用される点で非常に好評であるものの、そのフロントガード部は着座した幼児の前方移動を阻止するに過ぎないために、一抹の不安を感じる利用者（運転者である幼児の親等）が存在する可能性がある。
本発明は、従来技術の上述の問題点に鑑みて開発されたものであり、その目的とするところは、着座した子供を容易に拘束することのできる自転車用子供乗せを提供することを目的とする。
【課題を解決するための手段】
【０００６】
上記目的を達成するため、本発明に係る、自転車用子供乗せは以下の技術的手段を講じている。
すなわち、この自転車用子供乗せは、前方を向いた子供が着座する座部および着座した子供がもたれる背もたれ部から構成される座席本体と、前記子供を前記座席本体に拘束する拘束具とを備え、前記拘束具は、拘束状態と非拘束状態とに移動可能に支持され、前記拘束状態において着座した子供の身体の一部に当接する立体形状を備えた当接部材と、前記拘束状態の当接部材が移動することをロックするロック部材とを含み、前記当接部材は、拘束状態において、着座した子供の太腿部に上方から当接する第１の当接面と、前記第１の当接面に連続する面であって着座した子供の腹部に前方から当接する第２の当接面とを含むことを特徴とする。
【０００７】
好ましくは、前記拘束具は、前記座部の前側中央近傍から立ち上がる支柱部をさらに含み、前記当接部材は、前記支持部上方において、前記第１の当接面が略水平状態である拘束状態と、前記第１の当接面の太腿部への当接が解除されて子供が座部から立ち上がり可能な非拘束状態とに回動可能に支持され、前記ロック部材は、前記拘束状態の当接部材が回動することをロックするように構成することができる。
【０００８】
さらに好ましくは、前記拘束具は、前記当接部材の前後方向の位置を調整する前後調整部材をさらに含み、前記ロック部材は、前記拘束状態の当接部材が回動することをロックすると同時に前後方向に移動することをロックするように構成することができる。
さらに好ましくは、前記拘束具は、前記当接部材の上下方向の位置を調整する上下調整部材をさらに含むように構成することができる。
【０００９】
さらに好ましくは、前記ロック部材は、少なくとも２操作により、ロック状態からアンロック状態へ切り替え可能であるように構成することができる。
【発明の効果】
【００１０】
本発明に係る自転車用子供乗せによれば、着座した子供を容易に拘束することができる。
【図面の簡単な説明】
【００１１】
【図１】本発明の実施の形態に係る自転車用子供乗せを備えた自転車の後輪側側面図であって、（Ａ）は拘束状態、（Ｂ）は非拘束状態を示す側面図である。
【図２】本発明の実施の形態に係る自転車用子供乗せの前方からの斜視図（拘束状態）である。
【図３】本発明の実施の形態に係る自転車用子供乗せの前方からの斜視図（非拘束状態）である。
【図４】本発明の実施の形態に係る自転車用子供乗せが備える拘束具の分解斜視図である。
【図５】本発明の実施の形態に係る自転車用子供乗せが備える拘束具の部分的な、（Ａ）上面図、（Ｂ）側面図である。
【図６】本発明の実施の形態に係る自転車用子供乗せが備える拘束具の高さ方向調整動作を説明するための図である。
【図７】本発明の実施の形態に係る自転車用子供乗せが備える拘束具の前後方向調整動作を説明するための図である。
【図８】本発明の実施の形態に係る自転車用子供乗せが備える拘束具の回動動作を説明するための図である。
【発明を実施するための形態】
【００１２】
以下、本発明の実施の形態に係る自転車用子供乗せ１００を、図面に基づき詳しく説明する。
この自転車用子供乗せ１００を備えた自転車１０００の後輪側側面図であって拘束具２００が拘束状態である図を図１（Ａ）に、同じく後輪側側面図であって拘束具２００が非拘束状態である図を図１（Ｂ）に、自転車用子供乗せ１００の前方からの斜視図であって拘束具２００が拘束状態である図を図２に、同じ方向からの斜視図であって拘束具２００が非拘束状態である図を図３に、それぞれ示す。
【００１３】
さらに、本発明の実施の形態に係る自転車用子供乗せ１００が備える拘束具２００の分解斜視図を図４に、拘束具２００の部分的な上面図を図５（Ａ）に、その側面図を図５（Ｂ）に、それぞれ示す。さらに、この拘束具２００の動作を説明するための図として、図６（高さ方向調整動作）、図７（前後方向調整動作）および図８（回動動作）、をそれぞれ示す。
【００１４】
ここで、以下の記述において、前後方向は自転車１０００の進行方向と同じ方向であって、左右方向は自転車１０００の搭乗者（自転車用子供乗せ１００に着座した子供も同じ）から見た左右方向である。
［概略構造］
図１、図２および図３に示すように、この自転車用子供乗せ１００は、限定されるものではないが、自転車１０００の後側の荷台部１０１０上（サドル１０２０の後方であってフレーム１０４０に支持された後輪１０３０の上側）へ取り付けるタイプとしてある。自転車１０００の後側の荷台部１０１０ではなく自転車１０００の前側のハンドル部へ取り付けるタイプであっても構わない。また、この自転車用子供乗せ１００は、限定されるものではないが、低年齢の幼児（生後２年以内の幼児等）を乗車対象とすることが特に好ましい。
【００１５】
なお、本実施の形態に係る自転車用子供乗せ１００が好適に使用される自転車１０００は、一般的な自転車であって、電動アシスト機能を備えていても構わない。
このような自転車１０００に好適に使用される自転車用子供乗せ１００は、大略的には、前方を向いた子供が着座する座部１１６および着座した子供がもたれる背もたれ部１１４（さらにヘッドレスト部１１２および脚入れ部１１８を備えていても構わない）から構成される座席本体１１０（詳しくはこの座席本体１１０はサイドガード部１２０および脚部１３０と一体的に形成）と、子供を座席本体１１０に拘束する拘束具２００とを備える。この拘束具２００以外の自転車用子供乗せの基本的な構造は、特許文献１に示されるものと同じである。
【００１６】
この拘束具２００は、拘束状態（拘束ガード２１０が矢示Ｒ（ＣＬ）方向に回動した状態）と非拘束状態（拘束ガード２１０が矢示Ｒ（ＯＰ）方向に回動した状態）とに移動可能に支持され、この拘束状態において着座した子供の身体の一部に当接する立体形状を備えた当接部材である拘束ガード２１０と、拘束状態の拘束ガード２１０（当接部材）が移動することをロックするロック部材２４０とを含む。そして、この拘束ガード２１０は、拘束状態において、着座した子供の太腿部に上方から当接する第１の当接面２１０Ｌ（図６および図７参照）と、第１の当接面２１０Ｌに連続する面であって着座した子供の腹部に前方から当接する第２の当接面２１０Ｗ（図６および図７参照）とを含む。
【００１７】
そして、より具体的には、この拘束具２００は、座部１１６の前側中央近傍から立ち上がる支柱部（詳しくはこの支柱部は図４に示すベースケース２５０およびフロントカバー２５２により形成されベースケース２５０はベース２２０を収納するとともに座席本体１１０に取り付けられる）をさらに含み、拘束ガード２１０は、支持部上方において、第１の当接面２１０Ｌが略水平状態である拘束状態と、第１の当接面２１０Ｌの太腿部への当接が解除されて子供が座部１１６から立ち上がり可能な非拘束状態とに回動可能に支持されており、ロック部材２４０は、拘束状態の拘束ガード２１０が矢示Ｒ（ＯＰ）方向に回動すること含めて拘束ガード２１０が移動（回動）することをロックする。
【００１８】
さらに、拘束具２００は、子供の成長または子供の体格の違いに合わせて利用者が拘束ガード２１０の前後方向の位置を調整することができるとともに、拘束ガード２１０の上下方向の位置を調整することができ、ロック部材２４０は、拘束状態の拘束ガード２１０が矢示Ｒ（ＯＰ）方向に回動すること含めて拘束ガード２１０が回動することをロックすると同時に、拘束ガード２１０が前後方向に移動することをロックする。
【００１９】
このロック部材２４０は、少なくとも２操作（嵌合している部材の一方を押して廻すまたは引いて廻すことにより嵌合している部材が離隔してロック解除等）により、ロック状態からアンロック状態へ切り替え可能である。この場合において、このロック部材２４０におけるロック状態からアンロック状態への切り替えは、着座した子供の誤操作を防止するために（少なくとも）２操作が好ましく、その逆のアンロック状態からロック状態への切り替えは、利用者が容易に子供を拘束することができるようにするために（操作性の簡略化のために）、ロック部材２４０における嵌合させる部材の一方が押し込まれたらバネ等で自動的に回転してロックされる等の１操作であることが好ましい。なお、このようなロック部材については公知の技術を適宜採用することができる。
【００２０】
［詳細構造］
以上のような概略構造を備える本実施の形態に係る自転車用子供乗せ１００の詳細構造を図１〜図７を参照して説明する。
・座席本体１１０
上述したように、座席本体１１０は、サイドガード部１２０および脚部１３０と一体的に形成され、大きくは、前方を向いた子供が着座する座部１１６および子供がもたれる背もたれ部１１４から構成され、着座した子供の左右両側を囲むように座部１１６の左右両側に座席側壁としてのサイドガード部１２０が設けられている。このような一般的な座席本体（特許文献１に開示したような一般的な座席本体）の構造に加えて、本実施の形態に係る自転車用子供乗せ１００における座席本体１１０には（特許文献１に開示したフロントガード部とはその構造も機能も異なる）、拘束具２００が設けられている。この拘束具２００以外の構造は、基本的には従来の自転車用子供乗せの座席本体と大きな差異はないため、以下においては、この拘束具２００について詳しく説明する。
【００２１】
・拘束具２００（全体構成）
この拘束具２００を備えた自転車用子供乗せ１００の斜視図である図２および図３ならびにこの拘束具２００を分解した斜視図である図４に示すように、この拘束具２００は、当接部材である立体形状の拘束ガード２１０（拘束具２００の本体部とも言える）と、その拘束ガード２１０を矢示Ｒ（ＣＬ）および矢示Ｒ（ＯＰ）方向に回動自在に支持するベース２２０と、ベース２２０の垂直部２２４が矢示Ｘ（１）方向に挿入されるベースケース２５０と、ベースケース２５０に矢示Ｘ（２）方向から被せられるフロントカバー２５２と、拘束状態の拘束ガード２１０の回動および水平方向の移動を阻止するロック部材２４０とを含む。限定されるものではないが、ベースケース２５０は、座席本体１１０の着座した子供の股部近傍（座部１１６の前側中央近傍）に、たとえば、位置決めピンまたは／およびボルトとナットとを組合せた締結部材（図示せず）により矢示Ｘ（３）方向に取り付けられる。拘束具２００を構成する主たる部材（拘束ガード２１０、ベース２２０、ロック部材２４０）について、図２〜図４に図５を加えてこれらの図を参照して、以下に詳しく説明する。
【００２２】
・拘束具２００（拘束ガード２１０）
拘束具２００の本体を構成するとも言える拘束ガード２１０は、上下２分割された下部２１２と上部２１４とで構成されており、その全体形状は前方に回動のための窪みを備え、上面視で略等脚台形形状で側面視で略平行四辺形形状を備える。窪み部分の側面２１６には回動棒２３６を回転自在に支持する略円形の回動穴部２１６Ｈを備える。また、窪み部分の上面２１８にはロック部材２４０の回転軸（後述する上側部材２４４および下側部材２４６により構成）が挿入される略円形の回転穴部２１８Ｈを備える。
【００２３】
拘束状態の拘束ガード２１０の第１の当接面２１０Ｌは、着座した子供の太腿部に上方から当接するとともに、この第１の当接面２１０Ｌに連続する第２の当接面２１０Ｗは、着座した子供の腹部に前方から当接するために、緩やかな曲線形状を備えるとともに、座部１１６の上面、背もたれ部１１４の前面およびサイドガード部１２０の左右方向内側壁面と同じように、ＥＶＡ（エチレン酢酸ビニル共重合体）樹脂等により形成したクッション性の高い内装材を貼り付けることが好ましい。なお、座席本体１１０および拘束具２００の素材は、耐久性が高く加飾性および着色性が好ましい硬質プラスチック等が適宜採用される。
【００２４】
・拘束具２００（ベース２２０）
ベース２２０は、略直角に折り曲げられた２辺の部材である水平部２２２および垂直部２２４から構成される。水平部２２２および垂直部２２４はともに略直方体形状を備える。
水平部２２２は、その側面２２６の前側に回動棒２３６を回転自在に支持する略長円形の回動長穴部２２６Ｈを備え、その上面２２８の後側にロック部材２４０の回転軸が挿入される略長円形の前後調整長穴部２２８Ｈおよび水平滑り止め部２３０を備える。回動長穴部２２６Ｈおよび前後調整長穴部２２８Ｈは、ともに水平方向（前後方向）に長く、その長径の長さは図７（Ａ）に示す長さＬに対応している。
【００２５】
垂直部２２４は、その前面２３２の下側にノブ付きダイアルねじ２５４の雄ネジ部が挿入される垂直方向に長い略長円形の高さ調整長穴部２３２Ｈおよび垂直滑り止め部２３４を備える。高さ調整長穴部２３２Ｈは、垂直方向（上下方向）に長く、その長径の長さは図６（Ｂ）に示す高さＨに対応している。なお、高さ調整長穴部２３２Ｈの裏面側（前面２３２の裏側）には、ベースケース２５０の穴部２５０Ｈおよび高さ調整長穴部２３２Ｈを通過したノブ付きダイアルねじ２５４の雄ネジ部に螺合する雌ネジ部（図示せず）を備える。
【００２６】
なお、水平滑り止め部２３０および垂直滑り止め部２３４は、たとえば、図示したようにその表面に断面が三角形状の凹凸が形成され、それぞれ対向する部材（この部材の表面に断面が三角形状の凹凸が形成されていることも好ましい）との間の摩擦を強めて、この拘束ガード２１０の水平方向（前後方向）の位置および上下方向（高さ方向）の位置が、容易にずれない。
【００２７】
・拘束具２００（ロック部材２４０）
ロック部材２４０は、上述したように、ロック状態からアンロック状態へ少なくとも２操作により切り替え可能、かつ、その逆のアンロック状態からロック状態へ１操作により切り替え可能な、公知の技術を用いた部材が採用されている。このロック部材２４０は、Ｒ方向に回転自在に支持されたつまみレバー２４２と、このつまみレバー２４２を回転自在に保持するともに上述した２操作アンロックかつ１操作ロックを実現する上側部材２４４および下側部材２４６とを含む。下側部材２４６の下端には、前後調整長穴部２２８Ｈの短径よりも幅が短く前後調整長穴部２２８Ｈの短径よりも長さが長い棒状部材２４６Ｂが設けられている。ロック状態ではこの棒状部材２４６Ｂが前後調整長穴部２２８Ｈに係合して、アンロック状態ではこの棒状部材２４６Ｂが前後調整長穴部２２８Ｈに係合せず、ロック状態とアンロック状態とを切り換えることができる。
【００２８】
なお、２操作アンロックかつ１操作ロックを実現する構造および作用の詳細については、公知の技術を適宜採用すれば良いためにここでは記載していない。なお、図２〜図５（図４の実線）に示すつまみレバー２４２の方向がアンロック状態を示し、このアンロック状態からつまみレバー２４２を押しながら（または引きながら）矢示Ｒ方向に略９０度回転させるとロック状態（図４の点線）に移行するものとする（もちろん逆でも構わない）。
【００２９】
・拘束具２００（組み立て手順）
図４を参照して、この拘束具２００の組み立て手順について説明する。なお、組み立て順序と説明の順序とは一致するものではない。
ラインＡに示されるように、回動長穴部２２６Ｈを通した回動棒２３６の両端が回動穴部２１６Ｈを通って、回動棒２３６が回動穴部２１６Ｈおよび回動長穴部２２６Ｈに回動自在に保持されるように、拘束ガード２１０をベース２２０に取り付ける。なお、このように取り付けることが可能なように、回動棒２３６の長さおよび拘束ガード２１０の回動穴部２１６Ｈ近傍の内部空間が構成されている。
【００３０】
ラインＢに示されるように、ロック部材２４０の上側部材２４２と下側部材２４６とを、つまみレバー２４２の回転穴２４２Ｈ、回転穴部２１８Ｈおよび前後調整長穴部２２８Ｈを通して接合する。
拘束ガード２１０が回動自在に支持されたベース２２０の垂直部２２４を矢示Ｘ（１）方向にベースケース２５０へ挿入して、ベース２２０が挿入されたベースケース２５０に矢示Ｘ（２）方向からフロントカバー２５２を被せて、ラインＣに示されるように、ノブ付きダイアルねじ２５４の雄ネジ部を穴部２５０Ｈおよび高さ調整長穴部２３２Ｈを通して、ベース２２０の垂直部２２４の前面２３２の裏側の雌ネジ部に螺合する。
【００３１】
このように組み立てられた拘束具２００は、矢示Ｘ（３）方向に座席本体１１０にボルトおよびナット等により取り付けられる。
以上のようにして組み立てられた拘束具２００を備えた自転車用子供乗せ１００の使用方法（動作）について以下に説明する。なお、以下の説明においては、本実施の形態に係る自転車用子供乗せ１００が備える拘束具２００においては、図６〜図８に示すように、拘束ガード２１０は、第１の当接面２１０Ｌが略水平状態である拘束状態から、第１の当接面２１０Ｌの太腿部への当接が解除されて子供が座部１１６から立ち上がり可能な非拘束状態まで回動可能に支持されており、側面視における回動角度αの回動最大角α（ＭＡＸ）は、限定されるものではないが、略６０度である。
【００３２】
［使用方法］
・拘束ガードの高さ調整
まず、利用者（運転者である子供の親等）が、この自転車用子供乗せ１００に着座させる子供の体格に合わせて、拘束ガード２１０の高さ位置を調整する。すなわち、拘束状態における拘束ガード２１０の第１の当接面２１０Ｌが着座した子供の太腿部に当接して押圧することにより子供の上下方向の移動を阻止して子供が上下方向に移動しないように拘束することができるように、拘束状態における拘束ガード２１０の第１の当接面２１０Ｌの座部１１６からの高さを調整する。
【００３３】
図６に示すように、ノブ付きダイアルねじ２５４を緩めて、ベースケース２５０に対してベース２２０を上下方向にスライドさせて、上述した拘束状態を実現できるように、拘束ガード２１０の座部１１６からの高さを調整する。このとき、高さ調整長穴部２３２Ｈの上下方向（高さ方向）の長さに対応する高さＨ（図６（Ｂ））の分だけ調整が可能であって、図６（Ａ）に示す最小高さ位置（座部１１６からの高さがＨ（１））から図６（Ｂ）に示す最大高さ位置（座部１１６からの高さがＨ（２））まで、拘束ガード２１０の座部１１６からの高さを調整することができる。このとき、Ｈ（１）＜Ｈ（２）である。また、この高さ調整時においては、拘束ガード２１０が回動自在であるので（後述するようにさらに前後方向の移動自在であるので）拘束ガード２１０の回動を含めて移動させながら高さ位置を調整することができる。
【００３４】
このようにして高さ調整が終わると、ノブ付きダイアルねじ２５４を締めると、垂直滑り止め部２３４の作用もあり、ベースケース２５０からベース２２０が上下方向にずれないように保持することができる。以上のようにして、調整した拘束ガード２１０の座部１１６からの高さが変動しないように、拘束ガード２１０の高さ方向位置が固定される。
・拘束ガードによる子供の拘束
以下においては、子供を自転車用子供乗せ１００に乗せて拘束する場合について説明する。このとき、拘束ガード２１０による上下方向の拘束（第１の当接面２１０Ｌが子供の太腿部に当接して押圧することによる拘束）および拘束ガード２１０による子供の前後方向の拘束（第２の当接面２１０Ｗが子供の腹部に当接して押圧することによる拘束）ならびに拘束ガード２１０の前後方向の位置調整が同時に行われる。なお、自転車用子供乗せ１００に乗っている子供を自転車用子供乗せ１００から降ろす場合も手順が逆になるだけで同様の使用方法である。
【００３５】
拘束ガード２１０の高さ位置調整が完了した自転車用子供乗せ１００の座部１１６に子供を着座させる。このとき、ロック部材２４０はアンロック状態で拘束ガード２１０は矢示Ｒ（ＯＰ）側であって、拘束ガード２１０が座部１１６に子供を着座させる障害にならない。
子供を座部１１６に着座させると、拘束ガード２１０を矢示Ｒ（ＣＬ）方向へ回動させる。このとき、図７（Ａ）に示すように、回動棒２３６は回動長穴部２２６Ｈの前側（図７（Ａ）では最前端）に位置していると（図８に示すようにこれ以外の位置でも回動可能であるが）、拘束ガード２１０を矢示Ｒ（ＣＬ）方向へ回動させたときに、子供の頭部や腹部に拘束ガード２１０が当たることを回避することができる点で好ましい。
【００３６】
図７（Ａ）の実線で示す位置まで拘束ガード２１０を回動させると、以下のように拘束ガード２１０により子供を拘束することができるように、拘束ガード２１０を水平方向（前後方向）にスライドさせる。拘束状態における拘束ガード２１０の第２の当接面２１０Ｗが着座した子供の腹部に当接して押圧することにより子供の前後方向の移動を阻止して子供が前後方向に移動しないように拘束することができるように、拘束状態における拘束ガード２１０の第２の当接面２１０Ｗの背もたれ部１１４からの距離を調整する。
【００３７】
子供を着座させた状態で、ベース２２０に対して拘束ガード２１０を水平方向にスライドさせて、上述した拘束状態を実現できるように、拘束ガード２１０の背もたれ部１１４からの距離を調整する。このとき、回動長穴部２２６Ｈおよび前後調整長穴部２２８Ｈの水平方向（前後方向）の長さに対応する距離Ｌ（図７（Ａ））の分だけ調整が可能であって、図７（Ａ）に示す最小距離の位置（背もたれ部１１４からの距離がＬ（１））から図７（Ｂ）に示す最大距離の位置（背もたれ部１１４からの距離がＬ（２））まで、拘束ガード２１０の背もたれ部１１４からの距離を調整することができる。このとき、Ｌ（１）＜Ｌ（２）である。また、この距離調整時においては、拘束ガード２１０が回動自在であるので拘束ガード２１０の回動を含めて水平方向に移動させながら水平位置を調整することができる。
【００３８】
このようにして、矢示Ｒ（ＣＬ）側にある拘束ガード２１０の、第１の当接面２１０Ｌが着座した子供の太腿部に当接して押圧することにより子供の上下方向の移動を阻止して子供が上下方向に移動しないように拘束することができ、第２の当接面２１０Ｗが着座した子供の腹部に当接して押圧することにより子供の前後方向の移動を阻止して子供が前後方向に移動しないように拘束することができる状態を実現できる。
【００３９】
この状態でロック部材２４０のつまみレバー２４２をロックすると、拘束ガード２１０が回動も水平方向への調整移動も阻止されるので、子供が拘束された状態を継続することができる。
このように、本実施の形態に係る自転車用子供乗せ１００に設けられた拘束具２００は、拘束ガード２１０による上下左右方向の拘束および拘束ガード２１０の前後方向の位置調整が同時に行われるので、高さ方向の位置さえ調整しておくことにより、着座した子供の上下方向および左右方向の移動を容易に拘束することができる。
【００４０】
なお、図８は、この拘束ガード２１０の回動状態を説明するための図であって、ロック部材２４０がアンロック状態であれば、図８（Ａ）〜図８（Ｃ）に示すように、どのような回動角度α（０≦α≦α（ＭＡＸ））であっても拘束ガード２１０の前後方向の調整が可能であることを示している。
［作用効果］
以上のようにして、本実施の形態に係る自転車用子供乗せによると、矢示Ｒ（ＣＬ）側にある拘束ガード２１０の、第１の当接面２１０Ｌが着座した子供の太腿部に当接して押圧することにより子供の上下方向の移動を阻止して子供が上下方向に移動しないように拘束することができ、第２の当接面２１０Ｗが着座した子供の腹部に当接して押圧することにより子供の前後方向の移動を阻止して子供が前後方向に移動しないように拘束することができる状態を容易に実現することができる。
【００４１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、この変更例として、上述した本実施の形態に係る、拘束具２００を備えた自転車用子供乗せ１００において、２点式、３点式、４点式、５点式など、各種のシートベルトを取り付けることが挙げられる。このとき、図２および図３に示すベルト通し部１４０が利用される。また、側面視における拘束ガード２１０の回動最大角α（ＭＡＸ）を調整できるようにしたり、拘束ガード２１０の回動最大角α（ＭＡＸ）で停止（子供を乗せ降ろしする時に拘束ガード２１０が矢示Ｒ（ＯＰ）側で停止）したりすることが挙げられる。
【産業上の利用可能性】
【００４２】
本発明は、自転車に取り付けられた子供乗せに好適であり、子供を容易に拘束することができる点で特に好適である。
【符号の説明】
【００４３】
１００    自転車用子供乗せ
１１０    座席本体
２００    拘束具
２１０    拘束ガード
２１０Ｌ  第１の当接面（太腿部側）
２１０Ｗ  第２の当接面（腹部側）
２２０    ベース
２４０    ロック部材
２５０    ベースケース
２５２    フロントカバー
１０００    自転車
【図１】
2018047852.tif 000003
【図２】
2018047852.tif 000004
【図３】
2018047852.tif 000005
【図４】
2018047852.tif 000006
【図５】
2018047852.tif 000007
【図６】
2018047852.tif 000008
【図７】
2018047852.tif 000009
【図８】
2018047852.tif 000010